(57)【要約】【課題】携帯端末が電波の届かない場所に位置している等の理由により電波を送受信できない状態にある場合、従来の位置情報サービスでは位置情報の提供を受けることができなかった。そこで、携帯端末がこのような状態にあると判断される場合には、その携帯端末の位置情報を他の携帯端末等に通知等する。【解決手段】無線制御装置は、移動通信端末から周期的位置登録のような所定期間内に実行されるべき通信が行われなかったことにより他の装置等から送信される失敗通知を受け付けると、サービス制御装置に対してその旨を通知する。サービス制御装置は、この通知を受信すると、移動通信端末の位置情報をＨＬＲ又は無線制御装置から取得して、外部の装置等にショートメッセージ等により通知する。【選択図】  図１
2010233089.tif 000002
【特許請求の範囲】
【請求項１】
移動通信端末から所定期間内に実行されるべき通信が行われなかった旨の通知に応じて、前記移動通信端末の位置情報を取得して通知する位置情報通知手段を有するサービス制御装置。
【請求項２】
前記位置情報通知手段は、移動通信端末から所定期間内に実行されるべき通信が行われなかった旨とともに前記移動通信端末の位置情報の通知をも受け取ることで前記位置情報を取得して通知することを特徴とする請求項１に記載のサービス制御装置。
【請求項３】
前記所定期間内に実行されるべき通信は周期的位置登録であることを特徴とする請求項１又は２に記載のサービス制御装置。
【請求項４】
前記位置情報通知手段における前記所定期間を変更する変更手段をさらに有する請求項１から３のいずれか一に記載のサービス制御装置。
【請求項５】
前記位置情報通知手段は、前記移動通信端末に関するプロファイルを参照して、プロファイルに登録されている通知先に対して前記通知を行うことを特徴とする請求項１から４のいずれか一に記載のサービス制御装置。
【請求項６】
前記位置情報通知手段による通知は、ショートメッセージによる通知であることを特徴とする請求項１から５のいずれか一に記載のサービス制御装置。
【請求項７】
移動通信端末における無線通信に関する処理を行う無線制御装置と、移動通信端末に提供するサービスに関する制御を行うサービス制御装置と、からなる位置情報提供システムであって、
前記無線制御装置は、
前記移動通信端末から所定期間内に実行されるべき周期的位置登録が行われなかった際に送信される失敗通知の受信に応じて、前記移動通信端末の周期的位置登録が行われなかった旨を通知する失敗通知手段を有し、
前記サービス制御装置は、
前記失敗通知手段による通知に応じて、前記移動通信端末の位置情報を取得して通知する位置情報通知手段、
を有する位置情報提供システム。
【請求項８】
移動通信端末から所定期間内に実行されるべき周期的位置登録が行われなかった旨の通知に応じて、前記移動通信端末の位置情報を取得して通知する位置情報通知ステップを有する位置情報提供方法。
【発明の詳細な説明】
【技術分野】
【０００１】
本発明は、携帯端末からの所定時間内に実行されるべき通信が行われない場合に、携帯端末の位置情報を所定の通知先に通知する位置情報サービスに関する。
【背景技術】
【０００２】
従来、子供に携帯電話機を持たせている保護者が子供の居場所を知るためのサービスとして、例えば非特許文献１に開示されている位置情報サービスがある。このサービスにおいては、携帯電話機のＧＰＳ（Global Positioning System）機能を利用して子供が持っている携帯電話機の場所を特定することができるようになっている。しかし、何らかの理由により携帯電話機の電源がＯＦＦにされてしまうと、携帯電話機はＧＰＳ電波が受信できなくなり子供の居場所が特定できなくなる。そこで、携帯電話機の電源がＯＦＦとなった時には、事前に登録しておいた保護者の携帯電話機にその時のＧＰＳ情報をメールで知らせることとしている。
また、特許文献１においては、紛失や盗難により行方不明となった携帯電話端末において、電池切れにより電源がＯＦＦとなった場合にはホームメモリの位置登録情報の更新を行い、更新した位置登録情報をユーザに提供する発明が開示されている。
【先行技術文献】
【特許文献】
【０００３】
【特許文献１】特開２００１−２７５１６３号公報
【非特許文献】
【０００４】
【非特許文献１】“キッズケータイ F801i”、[online]、株式会社ＮＴＴドコモ、平成20年12月4日、インターネット<URL：http://www.nttdocomo.co.jp/product/kids_phone/f801i/topics_01.html>
【発明の概要】
【発明が解決しようとする課題】
【０００５】
しかしながら、電源はＯＦＦされていないが携帯電話機が電波の届かない場所に位置する場合にある、非特許文献１や特許文献１に公開されている従来の位置情報サービスは利用することができない。また、携帯電話機が電波の届かない場所において電池切れとなった場合等も、携帯電話機から電波を発信することができないこととなるため、特許文献１の位置情報サービスは利用することができない。
そこで本発明は、上記問題点を解決し、移動通信端末が電波の届かない場所に位置している場合や、他の理由により電波を送受信できない状態にあると判断される場合には、この携帯端末の位置情報を通知するためのサービス制御装置、位置情報提供システム、及び位置情報提供方法の実現を目的とする。
【課題を解決するための手段】
【０００６】
そこで、上記課題を解決するために、本発明は、移動通信端末から所定期間内に実行されるべき通信が行われなかった旨の通知に応じて、前記移動通信端末の位置情報を取得して通知する位置情報通知手段を有するサービス制御装置を提案する。
この構成により、移動通信端末から所定期間内に実行されるべき通信が行われない場合には移動通信端末が電波の届かない場所にあるか電池が切れている等の状況が想定されるため、このような場合にはその移動通信端末の位置情報を外部の装置等に通知することができることとした。これにより、例えば親が子供に持たせている携帯電話機が電波の届かない場所に位置する等の状況であっても、その携帯電話機の位置情報を親の携帯電話機に通知すること等が可能である。
【０００７】
また、前記位置情報通知手段は、移動通信端末から所定期間内に実行されるべき通信が行われなかった旨とともに前記移動通信端末の位置情報の通知をも受け取ることで前記位置情報を取得して通知するようになっていてもよい。
この構成によれば、移動通信端末の位置情報を別途に取得する処理を省くことができるので、処理負荷の軽減や処理速度の向上が見込まれる。
【０００８】
また、前記所定期間内に実行されるべき通信は周期的位置登録であってもよい。
この構成によれば、移動通信端末から所定期間内に周期的位置登録がなされない場合には、この移動通信端末の位置情報を通知することができる。これにより、例えば親が子供に持たせている携帯電話機が電波の届かない場所に位置する等の理由により周期的位置登録がなされない場合には、その携帯電話機の位置情報を親の携帯電話機に通知等することが可能である。
【０００９】
また、前記位置情報通知手段における前記所定期間を変更することができるようになっていてもよい。
この構成によれば、移動通信端末が通信を行うべき所定期間を変更することができるので、移動通信端末の状況や移動通信端末の契約者の要望等に応じて所定期間を変更することで、位置情報を通知すべき頻度を変えることができる。
【００１０】
また、前記位置情報通知手段は、前記移動通信端末に関するプロファイルを参照して、プロファイルに登録されている通知先に対して前記通知を行うようになっていてもよい。
この構成によれば、移動通信端末から所定期間内に実行されるべき通信が行われない場合には、この移動通信端末に関するプロファイルにあらかじめ登録されている通知先に移動通信端末の位置情報を通知することができる。よって、例えば子供の携帯電話機のプロファイルに親の携帯電話機のメールアドレス等を登録しておけば、子供の携帯電話機が電波の届かない場所にある場合等であっても、親の携帯電話機に子供の携帯電話機の位置情報が通知されるので、特に子供の非常時などに役に立つ。
【００１１】
また、前記位置情報通知手段による通知は、ショートメッセージによる通知であってもよい。
この構成によれば、サービス制御装置は、取得した位置情報をショートメッセージにより外部の装置等に通知することができる。これにより、例えば子供の携帯電話機が電波の届かない場所にある場合等であっても、子供の携帯電話機の位置情報を親の携帯電話機等にショートメッセージにより通知すること等が可能である。
【００１２】
また、本発明は、移動通信端末における無線通信に関する処理を行う無線制御装置と、移動通信端末に提供するサービスに関する制御を行うサービス制御装置と、からなる位置情報提供システムであって、前記無線制御装置は、前記移動通信端末から所定期間内に実行されるべき周期的位置登録が行われなかった際に送信される失敗通知の受信に応じて、前記移動通信端末の周期的位置登録が行われなかった旨を通知する失敗通知手段を有し、前記サービス制御装置は、前記失敗通知手段による通知に応じて、前記移動通信端末の位置情報を取得して通知する位置情報通知手段、を有する位置情報提供システムを提案する。
【００１３】
この構成により、移動通信端末から所定期間内に実行されるべき通信が行われない場合には移動通信端末が電波の届かない場所にあるか電池が切れている等の状況が想定されるため、このような場合にはその移動通信端末の位置情報を外部の装置等に通知することができることとした。これにより、例えば親が子供に持たせている携帯電話機が電波の届かない場所に位置する等の状況にあっても、その携帯電話機の位置情報を親の携帯電話機に通知すること等が可能である。
【００１４】
また、本発明は、移動通信端末から所定期間内に実行されるべき周期的位置登録が行われなかった旨の通知に応じて、前記移動通信端末の位置情報を取得して通知する位置情報通知ステップを有する位置情報提供方法を提案する。
この構成により、移動通信端末から所定期間内に実行されるべき通信が行われない場合には移動通信端末が電波の届かない場所にあるか電池が切れている等の状況が想定されるため、このような場合にはその移動通信端末の位置情報を外部の装置等に通知することができることとした。これにより、例えば親が子供に持たせている携帯電話機が電波の届かない場所に位置する等の状況にあっても、その携帯電話機の位置情報を親の携帯電話機に通知すること等が可能である。
【発明の効果】
【００１５】
以上説明したように、本発明によれば、周期的位置登録等のように移動通信端末から所定期間内に実行されるべき通信が行われない場合には移動通信端末が電波の届かない場所にあるか電池が切れている等の状況が想定されるため、このような場合には位置情報を外部の装置等に通知することができる。これにより、例えば親が子供に持たせている携帯電話機が電波の届かない場所に位置する等の理由により従来の位置情報サービスが受けられない状況にあっても、子供の携帯電話機の位置情報を親の携帯電話機等に通知すること等が可能である。
【図面の簡単な説明】
【００１６】
【図１】本実施形態に係る位置情報提供システムの構成例を示す図である。
【図２】無線ネットワーク制御装置１２０ａの構成例を示すブロック図である。
【図３】アプリケーションサーバ１５０ａの構成例を示すブロック図である。
【図４】周期的位置登録の処理の流れを示すシーケンス図である。
【図５】本実施形態に係る位置情報提供サービスの処理の流れを示すシーケンス図である。
【図６】本実施形態に係る位置情報提供サービスの処理の流れを示すシーケンス図である。
【発明を実施するための形態】
【００１７】
以下、本発明の実施の形態について図面を参照しながら説明する。
（位置情報提供システムの構成）
まず、本実施形態に係る位置情報提供システムの構成について、図１を用いて説明する。図１は、本実施形態に係る位置情報提供システムの構成例を示す図である。なお、本実施形態に係る位置情報提供システムは、ＩＭＳ（IP Multimedia Subsystem）技術を利用した通信ネットワークにおける位置情報提供システムを想定している。
【００１８】
図１に示される位置情報提供システムは、携帯端末Ａ１１０と、無線基地局１１１ａ及び１１１ｂと、無線ネットワーク制御装置（Radio Network Controller）１２０ａ及び１２０ｂと、ｘＧＳＮ（serving/gateway General packet radio service Support Node）１３０ａと、Ｐ−ＣＳＣＦ（Proxy Call/Session Control Function）１４１ａ及び１４１ｂと、Ｓ−ＣＳＣＦ（Serving Call/Session Control Function）１４２ａ及び１４２ｂ、アプリケーションサーバ（Application Server）１５０ａ及び１５０ｂと、ＨＬＲ（Home Location Register）１６０と、ショートメッセージサービスによるショートメッセージ（ＳＭ）を作成するＳＭ作成装置１７０と、ＳＭＳＣ（Short Message Service Control）１８０と、携帯端末Ｂ１９０と、から構成される。以下、各装置について詳述する。
【００１９】
（携帯端末の構成）
携帯端末Ａ１１０及び携帯端末Ｂ１９０は、可搬型の端末装置であり、具体的には、一般的な携帯電話機等が該当する。また、図１においては、携帯端末Ａ１１０は電波の届かない場所にあるか、電池が切れている等の理由により周期的位置登録が実行できない携帯端末であることを想定している。この携帯端末Ａ１１０は、例えば子供が携行している携帯電話機である。また、携帯端末Ｂ１９０は携帯端末Ａ１１０により周期的位置登録が行われない場合に携帯端末Ａ１１０の位置情報を受け取る側の携帯端末であり、例えば子供に携帯端末Ａ１１０を携行させている親の携帯電話機である。
【００２０】
ここで、周期的位置登録とは、携帯端末が所定の周期にて位置登録を行う処理である。これにより、移動通信網側は携帯端末の在圏状態を確実に把握することができる。また、周期的位置登録を実行する周期は無線通信事業者や在圏エリアによって異なるが、一例として、１時間弱程度の値に設定される。また、この周期は移動通信網側で任意に変更することが可能である。これにより、例えば移動通信端末の通信状況や移動通信端末の契約者の要望等に応じて周期的位置登録の周期を変更することで、位置情報を通知すべき頻度を変えることができる。なお、この周期の変更はアプリケーションサーバ１５０ａの変更部１５２にて実行される。周期位置登録の処理の流れについては、後に詳述する。
【００２１】
（無線基地局の構成）
無線基地局１１１ａ及び１１１ｂは、図示しない無線エリア（セル領域）をそれぞれ有しており、対応する無線エリアに在圏している携帯端末と無線通信を行う機能を有している。すなわち、携帯端末Ａ１１０と無線ネットワーク制御装置１２０ａとの通信は、無線基地局１１１ａを介して行われる。また、携帯端末Ｂ１９０と無線ネットワーク制御装置１２０ｂとの通信は、無線基地局１１１ｂを介して行われる。
【００２２】
（無線ネットワーク制御装置の構成）
無線ネットワーク制御装置１２０ａ及び１２０ｂは、それぞれ、無線基地局１１１ａ及び１１１ｂに対応して設けられており、それぞれ対応する無線エリアに在圏している携帯端末における無線通信に関する処理を行う。ここでは、無線ネットワーク制御装置１２０ａ及び１２０ｂは、それぞれ、携帯端末Ａ１１０、携帯端末Ｂ１９０における無線通信に関する処理を行う無線制御装置であり、具体的には、携帯電話機の回線接続処理や通話時のハンドオーバー処理等を行う。また、無線ネットワーク制御装置１２０ａ及び１２０ｂは、携帯端末の位置登録を実行する際にセル情報又はセクタ情報を自身の内部に保持しておく。なお、無線ネットワーク制御装置１２０ａ及び１２０ｂは、基地局制御装置、無線制御局、等とも呼ばれる場合がある。
また、図１に示すように、無線ネットワーク制御装置１２０ａにおいては、一般的な無線制御装置の構成以外に、失敗通知部１２１を有する。この失敗通知部１２１の動作については、後述する。
【００２３】
（無線ネットワーク制御装置の具体的な構成）
ここで、無線ネットワーク制御装置１２０ａのより具体的な構成について説明する。図２は、無線ネットワーク制御装置１２０ａの構成例を示すブロック図である。図２に示すように、無線ネットワーク制御装置１２０ａは、ＣＰＵ（Central Processing Unit）２０１、不揮発性記憶装置２０２、ＲＡＭ（Random Access Memory）２０３、ネットワークインタフェース２０４、等を備えている。
不揮発性記憶装置２０２には、失敗通知プログラム２１０が保持されている。この失敗通知プログラム２１０は、失敗通知モジュール２１１、及びその他必要な各種のモジュールを含む。失敗通知モジュール２１１は、失敗通知部１２１を実現するためのモジュールである。
【００２４】
このような構成において、一般的なコンピュータと同様に、不揮発性記憶装置２０２に記憶されている失敗通知モジュール２１１及びその他の各種のモジュールが必要に応じてＲＡＭ２０３をワークエリアとして展開され、それらがＣＰＵ２０１にて実行されることで、各種の処理を行う。
なお、ネットワークインタフェース２０４は、無線基地局１１１ａ、Ｐ−ＣＳＣＦ１４１ａ、ｘＧＳＮ１３０ａ等と接続するためのインタフェースであり、有線又は無線の通信インタフェースである。具体的には、光ファイバ、同軸ケーブル、無線等により通信を行うためのインタフェースである。
【００２５】
（ｘＧＳＮの構成）
図１に戻り、ｘＧＳＮ１３０ａは、ＳＧＳＮ（Serving General packet radio service Support Node）とＧＧＳＮ（Gateway General packet radio service Support Node）の統合ノードであり、パケット交換処理を実行する。具体的には、例えば、携帯端末Ａ１１０がウェッブサイトの閲覧や電子メールの送受信等のデータ通信を行うと、ｘＧＳＮ１３０ａでは、携帯端末Ａ１１０から送信されるＩＰパケットに対して、ＩＰ（Internet Protocol）パケットを別のＩＰパケットで包む、いわゆるカプセリング等の処理を実行する。
【００２６】
（Ｐ−ＣＳＣＦの構成）
Ｐ−ＣＳＣＦ１４１ａ及び１４１ｂは、それぞれ、携帯端末Ａ１１０、携帯端末Ｂ１９０の登録時に割り当てられる。また、携帯端末Ａ１１０や携帯端末Ｂ１９０を認証後、暗号化してパケットのやり取りをするための通信路を確立したり、ＳＩＰ（Session Initiation Protocol）メッセージを効率良く転送するために圧縮する等の機能を有する。
【００２７】
（Ｓ−ＣＳＣＦの構成）
Ｓ−ＣＳＣＦ１４２ａ及び１４２ｂは、ユーザ情報を保持しているＨＳＳ（Home Subscriber Server）（図示しない）から携帯端末Ａ１１０や携帯端末Ｂ１９０のユーザ情報を取得して保持したり、セッション制御等を行う機能を有するＳＩＰサーバである。具体的には、ユーザのログインしている携帯端末のＩＰアドレスとパブリックユーザＩＤとの紐付けを行う。
【００２８】
（アプリケーションサーバの構成）
アプリケーションサーバ１５０ａ及び１５０ｂは、ＩＰネットワークにおけるサービス制御機能や課金制御機能を有するアプリケーションサーバである。また、図１に示すように、アプリケーションサーバ１５０ａにおいては、一般的なアプリケーションサーバの構成以外に、位置情報通知部１５１と、変更部１５２と、を有する。各部の動作については、後述する。
【００２９】
（アプリケーションサーバの具体的な構成）
ここで、アプリケーションサーバ１５０ａのより具体的な構成について説明する。図３は、アプリケーションサーバ１５０ａの構成例を示すブロック図である。図３に示すように、アプリケーションサーバ１５０ａは、ＣＰＵ３０１、不揮発性記憶装置３０２、ＲＡＭ３０３、ネットワークインタフェース３０４、等を備えている。
不揮発性記憶装置３０２には、位置情報通知プログラム３１０が保持されている。この位置情報通知プログラム３１０は、位置情報通知モジュール３１１、変更モジュール３１２、及びその他必要な各種のモジュールを含む。位置情報通知モジュール３１１、変更モジュール３１２は、それぞれ、位置情報通知部１５１、変更部１５２を実現するためのモジュールである。
【００３０】
このような構成において、一般的なコンピュータと同様に、不揮発性記憶装置３０２に記憶されている各モジュール３１１、３１２、及びその他の各種のモジュールが必要に応じてＲＡＭ３０３をワークエリアとして展開され、それらがＣＰＵ３０１にて実行されることで、各種の処理を行う。
なお、ネットワークインタフェース３０４は、Ｓ−ＣＳＣＦ１４２ａ、ＨＬＲ１６０、ＳＭ作成装置１７０、ＳＭＳＣ１８０等と接続するためのインタフェースであり、有線又は無線の通信インタフェースである。具体的には、光ファイバ、同軸ケーブル、無線等により通信を行うためのインタフェースである。
【００３１】
（ＨＬＲの構成）
図１に戻り、ＨＬＲ１６０は、複数の携帯端末の位置登録情報を記憶している装置であり、各携帯端末についてのプロファイル１６１を記憶している。プロファイルとは、各携帯端末のユーザＩＤと、位置登録情報及び各携帯端末が契約している提供サービス等を関連づけている情報である。また、いわゆる携帯電話機の位置登録が行われると、位置登録情報がＨＬＲ１６０に随時、登録される。この位置登録情報は、無線基地局からの電波が受信可能な領域であるセル領域、又はセル領域を複数まとめた領域をその単位としている。
ここで、セル領域とは、無線基地局からの電波が受信可能な領域である。また、無線基地局は、携帯電話機等の無線端末が通話やメールの送受信等の無線通信を行う際に最初に接続する局である。また、セクタ領域とは、セル領域が指向性アンテナの電波送信方向に応じて複数に分割された領域であり、各セクタ領域は、無線基地局の指向性アンテナによって管理される。
【００３２】
（ＳＭ作成装置の構成）
ＳＭ作成装置１７０は、ショートメッセージサービス（ＳＭＳ：Short Message Service）においてショートメッセージ（ＳＭ）を作成する装置である。ＳＭＳとは、携帯電話機やＰＨＳ同士の間において短いメッセージのやり取りを行うことのできるサービスである。
（ＳＭＳＣの構成）
ＳＭＳＣ１８０は、ＩＭＳアーキテクチャにおいてメディアサービスを提供する機能を有するメディアサーバである。本実施形態においては、ショートメッセージサービス（ＳＭＳ）を提供し、アプリケーションサーバ１５０ａからの指示により携帯端末Ｂ１９０に対してショートメッセージを送信する機能を有する。
【００３３】
（周期的位置登録の動作）
ここで、図４を用いて、携帯端末Ａ１１０の周期的位置登録について説明する。図４は、周期的位置登録の処理の流れを示すシーケンス図である。図４において、「ＲＮＣ」とは無線ネットワーク制御装置１２０ａを意味し、「ＡＳ」とはアプリケーションサーバ１５０ａを意味する。なお、無線基地局１１１ａは、図４においては図示しない。
まず、携帯電話機におけるプロトコルスタックのレイヤ３プロトコルであるＲＲＣ（Radio Resource Control）において、携帯端末Ａ１１０と無線ネットワーク制御装置１２０ａとのチャネルが確立される（Ｓ４０１）。
【００３４】
次に、携帯端末Ａ１１０からｘＧＳＮ１３０ａに対して、位置情報のアップデートが要求される（Ｓ４０２）。これにより、ｘＧＳＮ１３０ａからＨＬＲ１６０に対して携帯端末Ａ１１０の最新の位置情報が送信されて登録される（Ｓ４０３）。また、これに対する返信として、位置情報が登録されたことを示す登録確認信号がＨＬＲ１６０からｘＧＳＮ１３０ａに送信される（Ｓ４０４）。
【００３５】
ここで、ステップＳ４０３にてＨＬＲ１６０に送信された携帯端末Ａ１１０の位置情報が、以前にＨＬＲ１６０に登録されていた在圏エリアを変更するものであった場合には、ｘＧＳＮ１３０ａからＰ−ＣＳＣＦ１４１ａに対して在圏エリアの変更の通知を行う（Ｓ４０５）。在圏エリアの変更がない場合には、この変更の通知は行われない。
次に、携帯端末Ａ１１０とｘＧＳＮ１３０ａとの間において、携帯端末Ａ１１０の認証及び秘匿処理を行う（Ｓ４０６）。
【００３６】
ステップＳ４０６における認証及び秘匿処理が成功した場合には、ｘＧＳＮ１３０ａから携帯端末Ａ１１０へアップデート承認信号が送信され（Ｓ４０７）、これに対する返信として携帯端末Ａ１１０からｘＧＳＮ１３０ａへアップデート終了信号が送信される（Ｓ４０８）。さらに、ｘＧＳＮ１３０ａから携帯端末Ａ１１０へ、この時点での時刻補正信号が送信され（Ｓ４０９）、接続終了の通知がなされる（Ｓ４１０）。
以上の位置情報の更新の処理が終了すると、無線ネットワーク制御装置１２０ａから携帯端末Ａ１１０に対して、次に周期的位置登録をすべき時間等を示す信号が送信される（Ｓ４１１）。この信号に基づいて、携帯端末Ａ１１０は次の周期的位置登録を実行すべき時間を知ることができる。
【００３７】
（本システムの動作）
次に、図１、図５、及び図６を用いて、本実施形態に係る位置情報提供サービスの動作について説明する。本実施形態に係る位置情報提供サービスは、２通りの動作方法があり、図５及び図６は、これらの動作方法を示すシーケンス図である。なお、図５及び図６において、「ＲＮＣ」とは無線ネットワーク制御装置１２０ａを意味し、「ＡＳ」とはアプリケーションサーバ１５０ａを意味する。なお、無線基地局１１１ａは、図５及び図６においては図示しない。
【００３８】
（第１の動作）
まず、図５のシーケンス図に示した位置情報提供サービスの動作について、図１とともに説明する。
ｘＧＳＮ１３０ａにて、携帯端末Ａ１１０からの周期的位置登録がなされなかったとの判断が行われる（Ｓ５０１）。この判断は、上述したように、前回の周期的位置登録の終了時にｘＧＳＮ１３０ａから携帯端末Ａ１１０へ時刻補正信号が送信されているため（図４のステップＳ４０９）、ｘＧＳＮ１３０ａにおいて、次に携帯端末Ａ１１０から周期的位置登録がなされる予定時刻が記録されている。よって、ｘＧＳＮ１３０ａでは、この記録されている予定時刻に携帯端末Ａ１１０からの周期的位置登録がなされるか否かによって、ステップＳ５０１における判断をすることができる。
【００３９】
ステップＳ５０１の判断がなされた場合には、ｘＧＳＮ１３０ａから無線ネットワーク制御装置１２０ａへ位置登録がなされなかった旨を示す失敗通知がなされる（Ｓ５０２）。無線ネットワーク制御装置１２０ａでは、失敗通知部１２１にて、失敗通知が受信されるとＰ−ＣＳＣＦ１４１ａへの失敗通知がなされ（Ｓ５０３）、さらに、Ｐ−ＣＳＣＦ１４１ａから、Ｓ−ＣＳＣＦ１４２ａを介してアプリケーションサーバ１５０ａへ失敗通知がなされる（Ｓ５０４、Ｓ５０５）。
【００４０】
アプリケーションサーバ１５０ａでは、位置情報通知部１５１にて失敗通知が受信されると、ＨＬＲ１６０に保持されている携帯端末Ａ１１０のプロファイル１６１が参照され（Ｓ５０６）、携帯端末Ａ１１０が本実施形態に係る位置情報提供サービスの契約をしている端末であるかが判断される。さらに、契約をしている端末であれば、携帯端末Ａ１１０の位置情報の通知先がプロファイル１６１から取得される（Ｓ５０７）。ここで、携帯端末Ａ１１０が本実施形態に係る位置情報提供サービスの契約をしていない端末である場合には、処理は終了となる（Ｓ５０８、Ｓ５０９）。すなわち、ＳＩＰに定義されている２００ＯＫ信号がアプリケーションサーバ１５０ａから、Ｓ−ＣＳＣＦ１４２ａを介してＰ−ＣＳＣＦ１４１ａへ送信され、処理は終了となる。
【００４１】
一方、携帯端末Ａ１１０が本実施形態に係る位置情報提供サービスの契約をしている端末である場合には、アプリケーションサーバ１５０ａは、位置情報通知部１５１にて、ＨＬＲ１６０に対して携帯端末Ａ１１０の位置情報を要求して取得する（Ｓ５１０、Ｓ５１１）。
アプリケーションサーバ１５０ａは、位置情報通知部１５１にて、携帯端末Ａ１１０の位置情報を受信すると、ステップＳ５０７にて取得した通知先へのショートメッセージをＳＭ作成装置１７０にて作成し（Ｓ５１２）、ＳＭＳＣ１８０にショートメッセージの送信依頼をする（Ｓ５１３）。
【００４２】
送信依頼を受けたＳＭＳＣ１８０は、ステップＳ５０７にて取得された通知先へ、ショートメッセージを送信する（Ｓ５１４）。なお、ここで送信されたショートメッセージは、アプリケーションサーバ１５０ｂ、Ｐ−ＣＳＣＦ１４１ｂ、Ｓ−ＣＳＣＦ１４２ｂ、無線ネットワーク制御装置１２０ｂ、無線基地局１１１ｂを介して、携帯端末Ｂ１９０に受信される。
【００４３】
なお、アプリケーションサーバ１５０ａは、ステップＳ５１０及びＳ５１１においてＨＬＲ１６０から携帯端末Ａ１１０の位置情報を取得しているが、無線ネットワーク制御装置１２０ａに携帯端末Ａ１１０の位置情報を要求して取得するようになっていてもよい（Ｓ５１５、Ｓ５１６）。また、一般的に、ＨＬＲ１６０においては携帯端末Ａ１１０のセル情報、又はセル領域を複数まとめた領域を示す情報を保持しているが、無線ネットワーク制御装置１２０ａでは、これらの情報よりもより狭小なエリアの情報であるセクタ情報を保持している。よって、アプリケーションサーバ１５０ａは、携帯端末Ａ１１０の位置情報として無線ネットワーク制御装置１２０ａにこのセクタ情報を要求して取得するようになっていてもよい（Ｓ５１５、Ｓ５１６）。これにより、位置情報提供システムはより詳細な位置情報を提供することができる。
【００４４】
（第２の動作）
次に、図６のシーケンス図に示した位置情報提供サービスの動作について、図１とともに説明する。
ｘＧＳＮ１３０ａにて、携帯端末Ａ１１０からの周期的位置登録がなされなかったとの判断が行われる（Ｓ６０１）。ここでの具体的な判断方法については、図５のステップＳ５０１における判断処理と同様である。
ステップＳ６０１の判断がなされた場合には、ｘＧＳＮ１３０ａから無線ネットワーク制御装置１２０ａへ位置登録がなされなかった旨を示す失敗通知がなされる（Ｓ６０２）。無線ネットワーク制御装置１２０ａでは、失敗通知部１２１にて失敗通知が受信されると、この失敗通知に加えて無線ネットワーク制御装置１２０ａが保持している携帯端末Ａ１１０の位置情報がＰ−ＣＳＣＦ１４１ａへ通知され（Ｓ６０３）、さらに、Ｐ−ＣＳＣＦ１４１ａから、Ｓ−ＣＳＣＦ１４２ａを介してアプリケーションサーバ１５０ａへ失敗通知及び携帯端末Ａ１１０の位置情報の通知がなされる（Ｓ６０４、Ｓ６０５）。なお、ここで携帯端末Ａ１１０の位置情報としてセクタ情報を通知すれば、ＨＬＲ１６０から位置情報としてセル情報等を取得する場合よりも、より詳細な位置情報が提供できることになる。
【００４５】
アプリケーションサーバ１５０ａでは、位置情報通知部にて失敗通知を受信すると、自身が保持している携帯端末Ａ１１０のプロファイル１６１を参照し、携帯端末Ａ１１０が本実施形態に係る位置情報提供サービスの契約をしている端末であるかを判断する。さらに、契約をしている端末であれば、携帯端末Ａ１１０の位置情報の通知先がプロファイル１６１から取得される（Ｓ６０６）。すなわち、図５に示す位置情報提供サービスの動作と異なり、アプリケーションサーバ１５０ａがあらかじめ携帯端末Ａ１１０のプロファイルを保持していることを前提としている。ただし、アプリケーションサーバ１５０ａがあらかじめ携帯端末Ａ１１０のプロファイルを保持しておくことができない場合には、図５のステップＳ５０６及びＳ５０７と同様に、ＨＬＲ１６０にプロファイルを参照するようになっていてもよい。
【００４６】
次に、携帯端末Ａ１１０のプロファイルを参照した結果（Ｓ６０６）、携帯端末Ａ１１０が本実施形態に係る位置情報提供サービスの契約をしていない端末である場合には、処理は終了となる（Ｓ６０７、Ｓ６０８）。すなわち、ＳＩＰに定義されている２００ＯＫ信号がアプリケーションサーバ１５０ａから、Ｓ−ＣＳＣＦ１４２ａを介してＰ−ＣＳＣＦ１４１ａへ送信され、処理は終了となる。
【００４７】
一方、携帯端末Ａ１１０が本実施形態に係る位置情報提供サービスの契約をしている端末である場合には、アプリケーションサーバ１５０ａは、ステップＳ６０５にて取得した位置情報に基づいて、ステップＳ６０６にて取得した通知先へのショートメッセージをＳＭ作成装置１７０にて作成し（Ｓ６０９）、ＳＭＳＣ１８０にショートメッセージの送信依頼をする（Ｓ６１０）。
【００４８】
送信依頼を受けたＳＭＳＣ１８０は、ステップＳ６０５にて取得された通知先へ、ショートメッセージを送信する（Ｓ６１１）。なお、ここで送信されたショートメッセージは、アプリケーションサーバ１５０ｂ、Ｐ−ＣＳＣＦ１４１ｂ、Ｓ−ＣＳＣＦ１４２ｂ、無線ネットワーク制御装置１２０ｂ、無線基地局１１１ｂを介して、携帯端末Ｂ１９０に受信される（図１参照）。
【００４９】
以上説明したように、第２の動作においては、ステップＳ６０３にて無線ネットワーク制御装置１２０ａから失敗通知とともに無線ネットワーク制御装置１２０ａにおいて保持されている携帯端末Ａ１１０の位置情報も同時に送信されるので、図５のステップＳ５１０及びＳ５１１のように携帯端末Ａ１１０の位置情報を取得する処理が不要となる。これにより、アプリケーションサーバ１５０ａにおける処理負荷の軽減や処理速度の向上が見込まれる。
【００５０】
なお、本実施形態において、携帯端末Ａ１１０は、本発明における「移動通信端末」に対応する。また、無線ネットワーク制御装置１２０ａは、本発明における「無線制御装置」に対応する。また、アプリケーションサーバ１５０ａは、本発明における「サービス制御装置」に対応する。
また、本実施形態において、図５のステップＳ５０５及び図６のステップＳ６０５における失敗通知は、本発明における「移動通信端末から所定期間内に実行されるべき通信が行われなかった旨の通知」に対応する。
また、本実施形態において、図５中のステップＳ５０５、Ｓ５１０、Ｓ５１１、及びＳ５１３、並びに、図６中のステップＳ６０５及びＳ６１０は、本発明における「位置情報通知ステップ」に対応する。
【００５１】
（他の実施の形態）
また、上記の実施形態においては、位置情報の通知をショートメッセージにより行ったが、電子メール、音声通話、等により通知してもよい。
また、上記の実施形態においては、図５のステップＳ５０６及びＳ５０７において、携帯端末Ａ１１０の位置情報の通知先についてＨＬＲに保存のプロファイルを参照したが、例えば、ＨＬＲ以外の記憶装置等に位置情報の通知先をあらかじめ登録するようになっており、この記憶装置等を参照するようになっていてもよい。
【００５２】
また、上記の実施形態においては、携帯端末Ａ１１０の位置情報の通知先は携帯端末Ｂ１９０としたが、パーソナルコンピュータ等の他の装置であってもよい。
また、上記の実施形態においては、携帯端末Ａ１１０は子供が携行する携帯電話機等である場合を想定して説明したが、携帯端末Ａ１１０を携行する人物が何者であるかを問わない。また、携帯端末Ａ１１０は携帯電話機に限らず、携帯電話機と同様の機能を有するノート型パソコンやスマートフォンであってもよい。
【００５３】
（まとめ）
以上説明したように、本発明によれば、周期的位置登録等のように移動通信端末から所定期間内に実行されるべき通信が行われない場合には移動通信端末が電波の届かない場所にあるか電池が切れている等の状況が想定されるため、このような場合には位置情報を外部の装置等に通知することができる。これにより、例えば親が子供に持たせている携帯電話機が電波の届かない場所に位置する等の理由により従来の位置情報サービスが受けられない状況にあっても、子供の携帯電話機の位置情報を親の携帯電話機等に通知すること等が可能である。
【符号の説明】
【００５４】
１１０  携帯端末Ａ
１１１ａ、１１１ｂ  無線基地局
１２０ａ、１２０ｂ  無線ネットワーク制御装置
１２１  失敗通知部
１３０ａ  ｘＧＳＮ
１４１ａ、１４１ｂ  Ｐ−ＣＳＣＦ
１４２ａ、１４２ｂ  Ｓ−ＣＳＣＦ
１５０ａ、１５０ｂ  アプリケーションサーバ
１５１  位置情報通知部
１５２  変更部
１６０  ＨＬＲ
１６１  プロファイル
１７０  ＳＭ作成装置
１８０  ＳＭＳＣ
１９０  携帯端末Ｂ
２０１  ＣＰＵ
２０２  不揮発性記憶装置
２０３  ＲＡＭ
２０４  ネットワークインタフェース
２１０  失敗通知プログラム
２１１  失敗通知モジュール
３０１  ＣＰＵ
３０２  不揮発性記憶装置
３０３  ＲＡＭ
３０４  ネットワークインタフェース
３１０  位置情報通知プログラム
３１１  位置情報通知モジュール
３１２  変更モジュール
【図１】
2010233089.tif 000003
【図２】
2010233089.tif 000004
【図３】
2010233089.tif 000005
【図４】
2010233089.tif 000006
【図５】
2010233089.tif 000007
【図６】
2010233089.tif 000008